(57)【特許請求の範囲】
【請求項１】
平板状ないし棒状の土留部材(3)で形成された擁壁面(16)と、土留部材(3)の前面に突設された平面Ｕ字状ないし筒状の控部材(4)により擁壁面(16)の前面に所定間隔で形成された壁面控(14)と、隣接する壁面控の間に形成される空地(17)に植生された高木(18)とを備えている、擁壁構造物。
【請求項２】
平板状ないし棒状の土留部材(3)で形成された擁壁面(16)と、土留部材(3)の前面に突設された平面Ｕ字状ないし筒状の控部材(4)により擁壁面(16)の前面に所定間隔で形成された壁面控(14)と、壁面控(14)の内側に充填された砕石ないし鉄筋コンクリート躯体(33)を備えた、擁壁。
【請求項３】
擁壁の前面となる面を形成する平板状ないし棒状の土留ブロック(3)と、その前面定位置に固定されて壁面控を形成する平面Ｕ字状ないし筒状の控ブロック(4)と、土留ブロック(3)と控ブロック(4)との連結固定手段(9,23)とを備えてなる、擁壁用コンクリートブロック。
【請求項４】
擁壁の前面となる面に上下方向の２本の嵌合部(5,5)を備えた矩形板状の土留ブロック(3,3a)と、前記２本の嵌合部(5,5)に嵌合する幅を備えた平面Ｕ字状ないしコ字状の控ブロック(4)と、土留ブロック(3,3a)と控ブロック(4)との連結固定手段(9,23)とを備えてなる、擁壁用コンクリートブロック。
【発明の詳細な説明】
【０００１】
【発明の属する技術分野】
この発明は、盛り土や斜面の崩落を防止するために構築される擁壁構造物に関するもので、特にコンクリートブロックを積重して構築された擁壁を含む構造物、その擁壁及びその擁壁を構築するために用いられるコンクリートブロックに関するものである。
【０００２】
【従来の技術】
擁壁にはある程度の勾配をつけるのが普通である。たとえば盛り土を盛って道路を構築する場合、盛り土の斜面には五分の勾配が付けられ、その法面が間知ブロック等を積み上げた擁壁によって保護されている。たとえば盛り土の高さが５ｍであるとすると、五分勾配を有する擁壁の幅は２．５ｍとなり、五分勾配の擁壁を築造するために２．５ｍ幅の土地が余計に必要になるということである。
【０００３】
一方近時間知ブロックや壜形ブロックなどの積みブロックにおいて、ブロックの擁壁表面側となる部分にポケットを形成できるようにし、そのポケットに土を入れて五月などの低木を植えることができるようにしたいわゆる緑化ブロックが種々提唱されている。このようなブロックを用いて構築された擁壁には、その擁壁面に形成されるポケットに草花や潅木を植えることができ、より自然に融合した環境を形成することができる。
【０００４】
しかしながらコンクリートの擁壁面に形成されたポケット内の土は保水力が小さく、また擁壁全体が太陽熱の輻射を受けて高温になりやすい。またそのような環境であるため、雑草が成育しやすい。そこで擁壁の植栽ポケットには頻繁に潅水が必要であり、雑草の除去作業も必要で、維持管理に手間と費用がかかる。そのため緑化擁壁を構築しても、充分な維持管理を行うことができず、植栽ポケットに植えた植物がすぐ枯れてしまい、枯れたら取り替えるというような方法で維持管理が行われているのが実情である。
【０００５】
【発明が解決しようとする課題】
この発明は、コンクリートの擁壁面を緑化するより合理的な技術手段を提供しようとするもので、自然界における植物の役割すなわち一酸化炭素を吸収して酸素を放出する光合成や、太陽熱を吸収して温度上昇を防ぐ機能や、保水機能をより良く発揮させることができる環境を得ることが可能な擁壁を構築できるようにすることを課題としている。
【０００６】
【課題を解決するための手段】
請求項１記載の擁壁構造物は、平板状ないし棒状の土留部材３で形成された擁壁面１６と、土留部材３の前面に突設された平面Ｕ字状ないし筒状の控部材４により擁壁面１６の前面に所定間隔で形成された壁面控１４と、隣接する壁面控の間に形成される空地１７に植生された高木１８とを備えていることを特徴とするものである。
【０００７】
請求項２記載の擁壁は、平板状ないし棒状の土留部材３で形成された擁壁面１６と、土留部材３の前面に突設された平面Ｕ字状ないし筒状の控部材４により擁壁面１６の前面に所定間隔で形成された壁面控１４と、壁面控１４の内側に充填された砕石ないし鉄筋コンクリート躯体３３を備えていることを特徴とするものである。
【０００８】
請求項３記載の擁壁用コンクリートブロックは、擁壁の前面となる面を形成する平板状ないし棒状の土留ブロック３と、その前面定位置に固定されて壁面控を形成する平面Ｕ字状ないし筒状の控ブロック４と、土留ブロック３と控ブロック４との連結固定手段９、２３とを備えていることを特徴とするものである。
【０００９】
請求項４記載の擁壁用コンクリートブロックは、擁壁の前面となる面に上下方向の２本の嵌合部５、５を備えた矩形板状の土留ブロック３、３ａと、前記２本の嵌合部５、５に嵌合する幅を備えた平面Ｕ字状ないしコ字状の控ブロック４と、土留ブロック３、３ａと控ブロック４との連結固定手段９、２３とを備えていることを特徴とするものである。
【００１０】
【作用】
この発明の擁壁構造物では、擁壁の前面に高木を配置することによって壁面の緑化を図っている。すなわち従来の緑化擁壁では、擁壁面に植物を植栽しているが、この発明の擁壁構造物では、擁壁面１６を擁壁面の前面に突出する壁面控１４の間に形成された空地１７に植生した高木１８により覆って緑化する構造を採用している。擁壁面１６は垂直面とするのが構造上簡単であるが、高木の枝葉の上方への拡がりを考慮して若干傾斜させた（たとえば８０度などの）傾斜面とすることもできる。壁面控１４は従来の勾配（たとえば五分勾配）で擁壁を構築したときの突出量に相当する突出量とし、この壁面控１４の突出により形成される隣接する壁面控１４、１４間の空地１７に欅、桜、柳などの高木１８を植える。高木は成育して枝葉を拡げ、この枝葉が擁壁の前面を覆うようになる。
【００１１】
擁壁面の前面に枝葉を拡げた高木１８は、光合成により大気中の二酸化炭素を吸収して酸素を放出するとともに、太陽の輻射熱を吸収して周囲の温度を低下させ、日陰を作ってコンクリートの擁壁面が加熱されるのを防止する。またコンクリートブロックで形成された無機的な壁面を覆い隠すので、視覚に与える窮屈感を和らげ、人の心に安らぎを与える。
【００１２】
さらにこの発明の擁壁では、コンクリートブロックを現場で組み立てて積重することにより構築されるので、施工が早く連続壁に比較して工事費も安価にできる。さらに緑化のための高木は、従来の擁壁における勾配の幅内の空地１７に植立され、壁面控１４の突出量もその幅内に納められるので、用地面積は同じであり、余分な土地を必要としない。
【００１３】
またこの発明の擁壁の壁面控１４は、断面Ｕ字状ないしコ字状のブロック４で形成され、その内側に鉄筋コンクリートを流し込んで一体化する構造や、砕石、栗石、破砕コンクリート等を充填して構築されるので、単なる控壁より強度及び重量がはるかに大きく、必要な強度及び重量に応じて壁面控の幅（擁壁を前面から見たときの幅）を大きくすることが可能であり、擁壁に充分に強度と耐崩落性を付与することができる。
【００１４】
【発明の実施の形態】
図１および図２は擁壁及びその構成部材の第１実施例を示したものである。擁壁用コンクリートブロック１は、矩形の前面２を有する二種のパネルブロック３、３ａと、このパネルブロックと同じ高さの平面Ｕ字状の控ブロック４とを備えている。二種のパネルブロックの一方３は平板形状をしており、他方３ａは底板を有する断面Ｌ形である。両方のパネルブロック３、３ａは構築する擁壁の前面となる面に上下方向の二本の嵌合溝５、５を有しており、この嵌合溝の幅は、控ブロック４の上下方向の端辺６、６の幅より若干広く設けられている。パネルブロック３、３ａはその両側の嵌合溝５の内側に嵌合溝５、５に沿って５個のインサートナット７が等間隔で埋設されている。また控ブロック４の内面にも両側端辺に沿って５個のインサートナット８が埋設されている。このインサートナットの高さ方向の間隔は、パネルブロックのインサートナット７の間隔と同じである。控ブロック４の突出量は従来の勾配で擁壁を構築したときの突出量に相当する大きさである。
【００１５】
前記擁壁用コンクリートブロックで擁壁を構築するときは、最下段にＬ形のパネルブロック３ａを一列に並べ、パネルブロックの嵌合溝５に突出量の大きい控ブロック４の端辺６を挿入し、等辺山形鋼９を嵌合部の内側に添設し、等辺山形鋼の取付孔１１にボルト１２を挿通し、このボルトの先端をインサートナット７、８に螺合して締結する。同様にして２段目以降を構築し、パネルブロックと控ブロックとで形成されたキャビティ１３に砕石を充填して各段の控ブロック４を一体化し、パネルブロックで形成された擁壁１５の前面１６に所定間隔で壁面控１４を形成する。最後に擁壁１５の前面と隣接する壁面控１４とで区画された空所１７に桜等の高木１８を植えて擁壁の緑化を行う。
【００１６】
図３は擁壁及びその構成部材の第２実施例を示したものである。以下第１実施例との相違点のみ説明する。控ブロック４は角筒形状をしており、擁壁１５の最下段を構成するブロックは、底板のないパネルブロック３と平板状の受けブロック１９とで構成されている。受けブロック１９は最も大きな突出量の控ブロック４より長く、その底面全体を支持することができる大きさである。受けブロック１９のパネルブロック側の下縁には滑り止め２１が突設されると共に、反パネルブロック側の上縁にはストッパ２２が突設されている。パネルブロック３と控ブロック４とはその当接面に配置されたボルトナット２３によって連結される。
【００１７】
図４は擁壁及びその構成部材の第３実施例を示したものである。控ブロックはその内面対向部に上下方向の厚肉部２４が設けられており、この厚肉部の貫通孔２５に鋼材２６を挿通して上下の控ブロック相互を連結している。鋼材２６はキャビティ１３に充填された砕石とあいまってパネルブロックの背面にかかる土圧を受け止める。
【００１８】
図５は前記第２実施例の擁壁を傾斜地に構築したものである。傾斜した土地にパネルブロックと同じ幅の段面を有する階段状の基礎２７を形成し、各段の中央に受けブロック１９を埋設し、その上に平板状のパネルブロック３および控ブロック４を組み立てて傾斜面に沿った擁壁１５を構築する。隣接する控ブロック４の間の空所１７を傾斜面とし、この傾斜面２８に高木１８を植える。
【００１９】
図６はパネルブロックの斜視図であり、擁壁の前面となる面のうち、控ブロックが当接する部分を除く部分に自然木に似せた凹凸模様２９を形成すると共に、パネルブロックの左右両側に上下方向の連結孔２０を設けて鋼材で上下に連結する構造としたものであり、上下のパネルブロックを鉛直面上に簡単に並べることができる。
【００２０】
図７は擁壁及びその構成部材の第４実施例を示したものであり、控ブロックを同一形状の角筒部とし、これを積み上げて擁壁１５の壁面控１４を形成したものであり、最上段の控ブロック４には上下方向のキャビティ１３を閉鎖する蓋板３１が嵌着されている。
【００２１】
図８は控ブロックの斜視図であり、控ブロックの外周面には、パネルブロックとの連接面を除く部分に横方向の木材形凹凸模様２９が設けられている。この控ブロックは、図６のパネルブロックと組み合わせることにより、自然にマッチした木目調の擁壁を構築することができる。
【００２２】
図９は擁壁及びその構成部材の第５実施例を示したものであり、壁面控１４は、３段のパネルブロックの高さに相当する角筒形の控ブロック４とその上面の後半分を閉鎖する大きさの底面を有する山形の控ブロック４を上下に積み重ね、両者を上下方向に貫通する鋼材２６で連結したものであり、角筒形の控ブロック４のキャビティ１３に土を入れて高木１８等を栽培することができる。
【００２３】
図１０は擁壁及びその構成部材の第５実施例を示したものである。控ブロックを裁頭角錐状に形成するとともにその外周面に石垣状の凹凸模様２９を設けたものであり、壁面控が下段から上段に行くにしたがって緩く湾曲するように形成したものである。控ブロックによって形成された縦方向のキャビティ１３に鉄筋を組んで生コンクリートを流し込み鉄筋コンクリート躯体３３とする。この壁面控は、パネルブロックの凹凸模様とあいまって擁壁の外観を城壁に似せている。
【００２４】
図１１および図１２は擁壁及びその構成部材の第７実施例を示したものである。擁壁コンクリートブロックは、側面の中間位置に水平方向の溝３２を有する控フロックと、この溝に嵌合する角棒ブロック３とで構成している。この控ブロック及び角棒ブロック３で擁壁を構築するには、溝３２を有する側面を同一鉛直面に位置させて控ブロックを積み上げ、上下に連通したキャビティ１３に生コンクリートを充填して一体とする。次に溝３２に角棒ブロック３を嵌合する。角棒ブロック３の背後には大きめの砕石を入れ土を埋め戻すことにより、水はけのよい擁壁を構築することができる。
【図面の簡単な説明】
【図１】第１実施例を示す斜視図
【図２】嵌合部を拡大して示す平面図
【図３】第２実施例の斜視図
【図４】第３実施例の平面図
【図５】傾斜地に構築した擁壁の正面図
【図６】凹凸模様のパネルブロックを示す斜視図
【図７】第４実施例の斜視図
【図８】控ブロックの斜視図
【図９】第５実施例の斜視図
【図１０】第６実施例の斜視図
【図１１】パネルブロック及び控ブロックの分解斜視図
【図１２】第７実施例の斜視図
【符号の説明】
3,3a  パネルブロック
４  控ブロック
５  嵌合溝
９  等辺山形鋼
14  壁面控
15  擁壁
16  擁壁面
17  空地
18  高木
23  ボルトナット
33  鉄筋コンクリート躯体
【図１】
0003838739.tif 000002
【図２】
0003838739.tif 000003
【図３】
0003838739.tif 000004
【図４】
0003838739.tif 000005
【図５】
0003838739.tif 000006
【図６】
0003838739.tif 000007
【図７】
0003838739.tif 000008
【図８】
0003838739.tif 000009
【図９】
0003838739.tif 000010
【図１０】
0003838739.tif 000011
【図１１】
0003838739.tif 000012
【図１２】
0003838739.tif 000013